(57)【要約】【課題】従来においては、生体の抹消部の手の指において血圧を測定する場合、従来の上腕部における血圧測定に比べて低い圧力でカフの内圧を制御する必要があり、従来上腕部において測定する血圧計に使用されてきたカフ、空気供給ポンプ及び圧力計を使用した場合、誤差が発生するという課題があった。【解決手段】上記課題を解決するために、本発明のカフは、内圧を従来のカフと同程度の比較的高い圧力としても、カフが生体の一部を圧迫する圧力を低くすることにより、生体の抹消部において測定する血圧計に従来の上腕部で測定する血圧計用の空気ポンプ及び圧力計などを使用可能とし、少ない誤差で血圧を測定する血圧計及び血圧測定方法を実現している。【選択図】図１
2006280790.tif 000002
【特許請求の範囲】
【請求項１】
内圧によって生体の一部を圧迫する圧力を発生するカフを備える血圧計であって、
前記カフは前記生体の一部を圧迫する圧力が前記内圧の２分の１以上１０分の９以下であることを特徴とする血圧計。
【請求項２】
内圧によって生体の一部を圧迫する圧力を発生するカフを備える血圧計であって、
前記カフは前記生体の一部を圧迫する圧力が前記内圧よりも４０ｍｍＨｇ以上２８０ｍｍＨｇ以下低いことを特徴とする血圧計。
【請求項３】
予め測定した内圧と前記生体の一部を圧迫する圧力との関係を用いて、測定した内圧から前記生体の一部を圧迫する圧力を算出する算出部をさらに備えることを特徴とする請求項１又は２に記載の血圧計。
【請求項４】
前記生体の一部と前記カフとの接触面に前記生体の一部を圧迫する圧力を検出する圧力センサをさらに備えることを特徴とする請求項１又は２に記載の血圧計。
【請求項５】
生体の一部を圧迫する圧力が内圧の２分の１以上１０分の９以下となるカフにより前記生体の一部を圧迫して血圧を測定する血圧測定方法。
【請求項６】
生体の一部を圧迫する圧力が内圧より４０ｍｍＨｇ以上２８０ｍｍＨｇ以下低いカフにより前記生体の一部を圧迫して測定する血圧測定方法。
【請求項７】
（生体圧迫圧をカフ内圧との関係を予め測定し補正して検出）
予め測定した内圧と前記生体の一部を圧迫する圧力との関係を用いて、測定した内圧から前記生体の一部を圧迫する圧力を算出することを特徴とする請求項５又は６に記載の血圧測定方法。
【請求項８】
前記生体の一部と前記カフとの接触面で前記生体の一部を圧迫する圧力を検出することを特徴とする請求項５又は６に記載の血圧測定方法。
【発明の詳細な説明】
【技術分野】
【０００１】
本発明は、生体の一部の血圧を測定する血圧計及び血圧測定方法に関する。
【背景技術】
【０００２】
高齢化の進展により、成人の高血圧などの生活習慣病への対応が注目されている。特に高血圧症の場合、長期間の血圧データの継続的な収集が重要であると認識されている。日常生活において、継続的に血圧を測定する場合、従来広く利用されている上腕部による測定よりも、指や耳などの生体の抹消部において測定する方が便利であり、各種の抹消部において測定する血圧計が開発されている。
【０００３】
抹消部において測定される血圧は、抹消血管が細いために、従来から一般に使用されている上腕部において測定する血圧に比べて低い傾向があり、特に、耳において血圧を測定する場合は、心臓と耳との高さの差に相当する血圧の差が生じ、さらに低い値となる。従って、抹消部においてカフにより生体を圧迫して測定する血圧測定においては、従来の上腕部における血圧測定よりも低い圧力の空気を制御する必要がある。しかし、制御する空気の圧力が低くなると、大気圧に近づくために空気圧の制御の誤差が大きくなる傾向にあり、抹消部において測定される血圧計に、従来の上腕部で測定する血圧計用の空気ポンプ及び圧力計を利用した場合、誤差が大きくなるという課題があった。
【０００４】
また、生体の抹消部において血圧を測定する血圧計のカフの従来の例としては、指により血圧を測定する場合のカフが開示されている（例えば、特許文献１参照。）。上記の従来例においては、階段状の断面を持つピラミッド型のカフにより指を圧迫し、指の太さに拘わらず指を圧迫する面積のアスペクト比を一定にするカフの構成が示されているが、この場合も、抹消部において測定する血圧計において測定誤差を少なくするカフ、空気ポンプ及び圧力計などの構成は述べられていない。
【０００５】
一方、上腕部において測定する血圧計用のカフとしては、カフの内部における摩擦を軽減するための構造（例えば、特許文献２参照。）により、カフの内圧がカフの膨張などで減圧されることなく上腕部へ伝達されるための改善策が検討され、いくつかの成果が示されている。
【特許文献１】特開平７−２５５６８７号公報
【特許文献２】特開２００４−２６１４９４号公報
【発明の開示】
【発明が解決しようとする課題】
【０００６】
上記の従来例（特許文献２）においては、生体の抹消部の手の指において血圧を測定する場合、従来の上腕部における血圧測定に比べて低い圧力でカフの内圧を制御する必要があり、従来上腕部において測定する血圧計に使用されてきたカフ、空気供給ポンプ及び圧力計を使用した場合、誤差が発生するという課題があった。
【課題を解決するための手段】
【０００７】
上記課題を解決するために、本発明のカフは、内圧を従来のカフと同程度の比較的高い圧力としても、カフが生体の一部を圧迫する圧力を低くすることにより、生体の抹消部において測定する血圧計に従来の上腕部で測定する血圧計用の空気ポンプ及び圧力計などを使用可能とし、少ない誤差で血圧を測定する血圧計及び血圧測定方法を実現している。
【０００８】
具体的には、本発明の血圧計は、内圧によって生体の一部を圧迫する圧力を発生するカフを備える血圧計であって、前記カフは前記生体の一部を圧迫する圧力が前記内圧の２分の１以上１０分の９以下である血圧計である。
【０００９】
上記のように、本発明の血圧計は、前記カフが生体の一部を圧迫する圧力を、前記カフの内圧の２分の１以上１０分の９以下とすることにより、前記カフの内圧は従来の上腕部において測定する血圧計のカフの内圧と同程度でありながら、前記カフは抹消部において測定する血圧計に適した比較的低い圧力で生体の一部を圧迫するので、生体の抹消部において比較的低い血圧を測定する血圧計においても、比較的高い圧力の空気を制御して誤差の少ない状態で血圧を測定することができる。さらに、従来から使用実績の多い上腕部において測定する血圧計用の空気ポンプ及び圧力計などを使用することができるので、正確に血圧を測定することができる。
【００１０】
本発明の血圧計は、内圧によって生体の一部を圧迫する圧力を発生するカフを備える血圧計であって、前記カフは前記生体の一部を圧迫する圧力が前記内圧よりも４０ｍｍＨｇ以上２８０ｍｍＨｇ以下低い血圧計である。
【００１１】
上記のように、本発明の血圧計は、前記生体の一部を圧迫する圧力が前記内圧よりも４０ｍｍＨｇ以上２８０ｍｍＨｇ以下低いカフとすることにより、前記カフの内圧は従来の上腕部において測定する血圧計のカフの内圧と同程度でありながら、前記カフは抹消部において測定する血圧計に適した比較的低い圧力で生体の一部を圧迫するので、生体の抹消部において比較的低い血圧を測定する血圧計においても、比較的高い圧力の空気を制御して誤差の少ない状態で血圧を測定することができる。さらに、従来から使用実績の多い上腕部において測定する血圧計用の空気ポンプ及び圧力計などを使用することができるので、正確に血圧を測定することができる。
【００１２】
本発明の血圧計は、予め測定した内圧と前記生体の一部を圧迫する圧力との関係を用いて、測定した内圧から前記生体の一部を圧迫する圧力を算出する算出部をさらに備えてもよい。
【００１３】
上記のように、本発明の血圧計は、予め測定した前記カフの内圧と、前記カフが前記生体の一部を圧迫する圧力との関係を用いて、測定した前記カフの内圧から前記カフが前記生体の一部を圧迫する圧力を算出する算出部をさらに備えることにより、前記カフの内圧を測定した結果から前記カフが前記生体の一部を圧迫する圧力を、正確に算出することができるので、正確に血圧を測定することができる。
【００１４】
本発明の血圧計は、前記生体の一部と前記カフとの接触面に前記生体の一部を圧迫する圧力を検出する圧力センサをさらに備えてもよい。
【００１５】
上記のように、本発明の血圧計は、前記生体の一部と前記カフとの接触面に前記カフが前記生体の一部を圧迫する圧力を検出する圧力センサをさらに備えることにより、前記カフが生体の一部を圧迫する圧力を、正確に検出することができるので、正確に血圧を測定することができる。
【００１６】
本発明の血圧測定方法は、生体の一部を圧迫する圧力が内圧の２分の１以上１０分の９以下となるカフにより前記生体の一部を圧迫して血圧を測定する血圧測定方法である。
【００１７】
上記のように、本発明の血圧測定方法は、生体の一部を圧迫する圧力が内圧の２分の１以上１０分の９以下となるカフにより、前記生体の一部を圧迫して血圧を測定することにより、前記カフの内圧を従来の血圧測定方法のカフの内圧と同程度としながら、前記カフにより抹消部における血圧測定に適した比較的低い圧力で生体の一部を圧迫するので、生体の抹消部における比較的低い血圧の測定においても、比較的高い圧力の空気を制御して誤差の少ない状態で血圧を測定することができる。さらに、従来から実績の多い上腕部において測定する血圧測定の方法と同様の方法で前記カフに空気を供給し、前記カフの空気圧を測定することができるので、正確に血圧を測定することができる。
【００１８】
本発明の血圧測定方法は、生体の一部を圧迫する圧力が内圧より４０ｍｍＨｇ以上２８０ｍｍＨｇ以下低いカフにより前記生体の一部を圧迫して測定する血圧測定方法である。
【００１９】
上記のように、本発明の血圧測定方法は、生体の一部を圧迫する圧力が内圧より４０ｍｍＨｇ以上２８０ｍｍＨｇ以下低いカフにより前記生体の一部を圧迫して測定することにより、前記カフの内圧を従来の血圧測定方法のカフの内圧と同程度としながら、前記カフにより抹消部における血圧測定に適した比較的低い圧力で生体の一部を圧迫するので、生体の抹消部における比較的低い血圧の測定においても、比較的高い圧力の空気を制御して誤差の少ない状態で血圧を測定することができる。さらに、従来から実績の多い上腕部において測定する血圧測定の方法と同様の方法で前記カフに空気を供給し、前記カフの空気圧を測定することができるので、正確に血圧を測定することができる。
【００２０】
本発明の血圧測定方法では、予め測定した内圧と前記生体の一部を圧迫する圧力との関係を用いて、測定した内圧から前記生体の一部を圧迫する圧力を算出してもよい。
【００２１】
本発明の血圧測定方法では、予め測定した前記カフの内圧と前記カフが前記生体の一部を圧迫する圧力との関係を用いて、測定した前記カフの内圧から前記カフが前記生体の一部を圧迫する圧力を算出することにより、前記カフの内圧を測定した結果から前記カフが前記生体の一部を圧迫する圧力を、正確に算出することができるので、正確に血圧を測定することができる。
【００２２】
本発明の血圧測定方法では、前記生体の一部と前記カフとの接触面で前記生体の一部を圧迫する圧力を検出してもよい。
【００２３】
上記のように、本発明の血圧測定方法では、前記生体の一部と前記カフとの接触面で前記カフが前記生体の一部を圧迫する圧力を検出することにより、前記カフが生体の一部を圧迫する圧力を、正確に検出することができるので、正確に血圧を測定することができる。
【発明の効果】
【００２４】
本発明によれば、圧力の制御が容易な比較的高い圧力の空気を制御して誤差の少ない状態で血圧を測定することができる。また、使用実績の多い上腕部における血圧計用の空気ポンプ及び圧力計などを使用できるので、生体の抹消部において比較的低い血圧を、正確に測定することができる。
【発明を実施するための最良の形態】
【００２５】
添付の図面を参照して本発明の実施の形態を説明する。
以下に説明する実施の形態は本発明の構成の例であり、本発明は、以下の実施の形態に制限されるものではない。
【００２６】
（第１の実施の形態）
本発明の第１の実施の形態の血圧計は、内圧によって生体の一部を圧迫する圧力を発生するカフを備える血圧計であって、前記カフは前記生体の一部を圧迫する圧力が前記内圧の２分の１以上１０分の９以下である前記カフを備える血圧計である。
【００２７】
第１の実施の形態の血圧計の構成を図１に示す。図１において、第１の実施の形態の血圧計１０は、カフ１１、カフ１２、空気パイプ１５、空気パイプ１６、空気パイプ１７、フレーム２１、支持体２２、空気供給部３１、圧力検出部３２、脈波検出部３３、血圧演算部３４、信号線４１、信号線４２により構成されている。ここで、図１及び以下の図においては、血圧計を制御する制御部、あるいは電源などの通常の技術により実現できる部分は表示していない。
【００２８】
カフ１１及びカフ１２はフレーム２１の対向する内側の面に保持されており、カフ１１とカフ１２の対向する面は生体１の一部、例えば抹消部としての耳介を挟むように接して圧迫している。
【００２９】
カフ１１及びカフ１２は相互に空気パイプ１５により接続され、カフ１２と空気供給部３１は空気パイプ１６により接続され、カフ１２と圧力検出部３２は空気パイプ１７により接続されている。
【００３０】
圧力検出部３２の出力端子は信号線４１により血圧演算部３４の圧力信号入力端子に接続されている。
【００３１】
脈波検出部３３は、長さ可変の支持体２２によりフレーム２１に取り付けられている。脈波検出部３３は、カフ１１が圧迫している位置よりも抹消側の生体１の一部に接触していることが望ましい。脈波検出部３３の検出した脈波は出力端子を介して信号線４２により血圧演算部３４の脈波信号入力端子に接続されている。
【００３２】
次に、第１の実施の形態の血圧計１０の各部の機能を説明する。
空気供給部３１は空気パイプ１６を介してカフ１２に空気を供給する機能を有する。
【００３３】
カフ１１及びカフ１２は内部の空間に、空気パイプ１６を介して空気供給部３１から空気の供給を受け膨張して、生体１の一部を圧迫する機能を有する。ここで、カフ１１及びカフ１２は、内部に供給される前記空気の内圧により膨張して生体１の一部を圧迫する圧力を発生するが、カフ１１及びカフ１２は、生体１の一部を圧迫する圧力が内圧の２分の１以上１０分の９以下となるような材料及び構造により構成されている。
【００３４】
図２に従来の上腕部において測定する血圧計のカフと、抹消部において測定する血圧計のカフの一例について、カフの内圧とカフが生体を圧迫する圧力の関係を、模式的に示す。図２において、横軸はカフの内部の圧力を示すカフ内圧（Ｐ）であり、縦軸はカフが生体を圧迫する圧力を示す生体圧迫圧力（Ｑ）であり、また、上腕部において測定する血圧計のカフを上腕用カフ５１、生体の抹消部としての頭部において測定する血圧計のカフを頭部用カフ６１として示している。図２に示すように、カフ内圧が上昇するに従って、カフの生体圧迫圧力は、上昇する。
【００３５】
図２は、上腕部において測定する血圧計の場合、上腕用カフ５１の内圧をＰ１とＰ２の間として、生体圧迫圧力ＱＢ１とＱＢ２の間の上腕部の血圧測定範囲５２の血圧を測定できることを示しており、頭部において測定する血圧計の場合、頭部用カフ６１として示すような特性のカフを使用することにより、頭部用カフ６１の内圧を、上腕用カフ５１と同様にＰ１とＰ２の間として、生体圧迫圧力ＱＡ１とＱＡ２の間の頭部の血圧測定範囲６２の血圧を測定できることを示している。従って、図２に示す頭部用カフ６１のような特性のカフを使用することにより、比較的低い頭部の血圧測定範囲６２の血圧を、空気の圧力制御が容易な比較的高いカフ内圧の範囲で測定でき、さらに、使用実績の多い従来の上腕用血圧計の空気ポンプ及び圧力計を利用して測定できる。
【００３６】
図１において、圧力検出部３２は空気パイプ１７を介してカフ１２の内圧を検出する機能を有し、さらに前記内圧を検出した結果の信号を血圧演算部３４の圧力信号入力端子へ信号線４１を介して送信する機能を有する。ここで、カフ１１及びカフ１２は空気パイプ１５により接続されているので、カフ１１及びカフ１２の各々の内圧は等しく保たれている。
【００３７】
脈波検出部３３は、生体１の一部において脈波を検出し、前記脈波を検出した結果を示す信号を血圧演算部３４の脈波信号入力端子へ信号線４２を介して送信する機能を有する。
【００３８】
血圧演算部３４は、信号線４１を介して受信する圧力検出部３２が検出したカフ１２の内圧を示す信号からカフ１１及びカフ１２が生体１の一部を圧迫する圧力を演算し、演算したカフ１１及びカフ１２が生体１の一部を圧迫する圧力と、信号線４２を介して受信する脈波検出部３３が検出した脈波を示す信号から、生体１の血圧を演算して血圧値を表示する機能を有する。ここで、血圧演算部３４がカフ１２の内圧から、カフ１１及びカフ１２が生体１の一部を圧迫する圧力を演算する方法としては、例えば、カフ１１及びカフ１２の内圧とカフ１１及びカフ１２が生体１の一部を圧迫する圧力の関係を示す計算式により計算する方法でもよい。また、カフ１１及びカフ１２が生体１の一部を圧迫する圧力と、生体１の脈波から血圧演算部３４が血圧を演算する方法は、一般に広く利用されている上腕部においてカフにより測定する血圧計と同様である。
【００３９】
上記のように、第１の実施の形態の血圧計１０は、生体１の一部を圧迫する圧力が前記内圧の２分の１以上１０分の９以下となる圧力で生体１の一部を圧迫するカフ１１及びカフ１２を使用することにより、カフ１１及びカフ１２に、制御の容易な比較的高い圧力の空気を供給して血圧を測定することができる。さらに、空気供給部３１及び圧力検出部３２として、従来から使用実績の多い上腕部において測定する血圧計用の空気ポンプ及び圧力計を使用することが可能となるので、正確に血圧を測定することができる。
【００４０】
（第２の実施の形態）
本発明の第２の実施の形態の血圧測定方法は、生体の一部を圧迫する圧力が内圧の２分の１以上１０分の９以下となるカフにより前記生体の一部を圧迫して血圧を測定する血圧測定方法である。
【００４１】
第２の実施の形態の血圧測定方法は、図１により説明した第１の実施の形態の血圧計１０の空気供給部３１と同様な動作で、前記カフに空気を供給し、さらに、前記生体の一部を圧迫する圧力が前記内圧の２分の１以上１０分の９以下となる前記カフにより、第１の実施の形態の血圧計１０のカフ１１及びカフ１２と同様な動作で、前記生体の一部を圧迫する。
【００４２】
次に、第１の実施の形態の血圧計１０の圧力検出部３２と同様な動作で、前記カフの内圧を検出し、検出した前記カフの内圧から第１の実施の形態の血圧計１０の血圧演算部３４と同様な動作で、前記カフが前記生体の一部を圧迫する圧力を演算して求める。
【００４３】
次に、上記のように演算して求めた前記カフが前記生体の一部を圧迫する圧力と、第１の実施の形態の血圧計１０の脈波検出部３３と同様な動作で検出した前記生体の一部の脈波により、第１の実施の形態の血圧計１０の血圧演算部３４と同様な動作で、前記生体の血圧を測定する。
【００４４】
上記のように、第２の実施の形態の血圧測定方法は、前記生体の一部を圧迫する圧力が前記内圧の２分の１以上１０分の９以下となる圧力で前記生体の一部を圧迫する前記カフを使用することにより、制御の容易な比較的高い圧力の空気を供給して血圧を測定することができ、さらにカフへの空気供給方法及びカフの内圧の検出方法として、従来から使用実績のある上腕部において測定する血圧測定方法と同様の空気供給方法及び圧力検出方法を適用することが可能となるので、正確に血圧を測定することができる。
【００４５】
（第３の実施の形態）
本発明の第３の実施の形態の血圧計は、内圧によって生体の一部を圧迫する圧力を発生するカフを備える血圧計であって、前記カフは前記生体の一部を圧迫する圧力が前記内圧よりも４０ｍｍＨｇ以上２８０ｍｍＨｇ以下低い血圧計である。
【００４６】
第３の実施の形態の血圧計は、図１により説明した第１の実施の形態の血圧計１０と同様の構成であるので、第３の実施の形態の血圧計を図１に示す血圧計１０として説明する。また、第３の実施の形態の血圧計が図１により説明した第１の実施の形態の血圧計１０と異なる点はカフ１１及びカフ１２の機能のみであるので、ここではカフ１１及びカフ１２の機能のみを説明する。
【００４７】
図１に示す第３の実施の形態の血圧計１０のカフ１１及びカフ１２は内部の空間に、空気パイプ１６を介して空気供給部３１から空気の供給を受け、生体１の一部を圧迫する機能を有する。ここで、カフ１１及びカフ１２は、生体１の一部を圧迫する圧力が前記内圧よりも４０ｍｍＨｇ以上２８０ｍｍＨｇ以下低くなるような材料、あるいは構造により構成されている。
【００４８】
第３の実施の形態の血圧計１０は、図１により説明した第１の実施の形態の血圧計１０と同様に血圧を測定する。
【００４９】
上記のように、第３の実施の形態の血圧計１０は、前記生体の一部を圧迫する圧力が前記内圧よりも４０ｍｍＨｇ以上２８０ｍｍＨｇ以下低い圧力で生体１の一部を圧迫するカフ１１及びカフ１２を使用することにより、カフ１１及びカフ１２に制御の容易な比較的高い圧力の空気を供給して血圧を測定することができる。さらに、空気供給部３１及び圧力検出部３２として、従来から使用実績の多い上腕部において測定する血圧計用の空気ポンプ及び圧力計などを使用することが可能となるので、正確に血圧を測定することができる。
【００５０】
（第４の実施の形態）
本発明の第４の実施の形態の血圧測定方法は、生体の一部を圧迫する圧力が内圧より４０ｍｍＨｇ以上２８０ｍｍＨｇ以下低いカフにより前記生体の一部を圧迫して測定する血圧測定方法である。
【００５１】
上記のように、第４の実施の形態の血圧測定方法は、第２の実施の形態の血圧測定方法において前記カフとして、第３の実施の形態の血圧計１０のカフ１１及びカフ１２と同様な、前記生体の一部を圧迫する圧力が前記内圧より４０ｍｍＨｇ以上２８０ｍｍＨｇ以下低いカフを使用して、前記生体の一部を圧迫する場合であり、上記の点以外は、第２の実施の形態の血圧測定方法と同様である。
【００５２】
上記のように、第４の実施の形態の血圧測定方法は、前記生体の一部を圧迫する前記圧力が内圧より４０ｍｍＨｇ以上２８０ｍｍＨｇ以下低いカフを使用することにより、制御の容易な比較的高い圧力の空気を供給して血圧を測定することができ、さらに空気供給方法及び圧力検出方法として、従来から使用実績の多い上腕部において測定する血圧測定方法の空気供給方法及び圧力検出方法を使用することが可能となり、正確に血圧を測定することができる。
【００５３】
（第５の実施の形態）
予め測定した内圧と前記生体の一部を圧迫する圧力との関係を用いて、測定した内圧から前記生体の一部を圧迫する圧力を算出する算出部をさらに備えてもよい。
【００５４】
本発明の第５の実施の形態の血圧計は、図１により説明した第１の実施の形態の血圧計１０又は第３の実施の形態の血圧計１０において、予め測定した内圧と前記生体の一部を圧迫する圧力との関係を用いて、測定した内圧から前記生体の一部を圧迫する圧力を算出する算出部をさらに備える場合である。
【００５５】
第５の実施の形態の血圧計の構成を図３に示す。図３において、第５の実施の形態の血圧計１０は、図１に示す第１実施の形態の血圧計１０の信号線４１に代えて、算出部３５、信号線４３及び信号線４４を備え、圧力検出部３２の出力端子を信号線４３により算出部３５の入力端子に接続し、さらに算出部３５の出力端子を信号線４４により血圧演算部３４の圧力入力端子に接続した構成であり、上記の以外の第５実施の形態の血圧計１０構成は、図１に示す第１の実施の形態の血圧計１０と同様である。
【００５６】
また、第５の実施の形態の血圧計１０の算出部３５及び血圧演算部３４以外の機能は、図１により説明した第１の実施の形態の血圧計１０と同様であるので、ここでは、第５の実施の形態の血圧計１０の算出部３５及び血圧演算部３４の機能のみを説明する。
【００５７】
算出部３５は予め測定したカフ１２の内圧とカフ１２が生体１の一部を圧迫する圧力との関係を記憶しており、圧力検出部３２が検出したカフ１２の内圧を示す信号を受信し、受信したカフ１２の内圧を示す信号と、記憶している予め測定したカフ１２の内圧とカフ１２が生体１の一部を圧迫する圧力との関係から、カフ１１及びカフ１２が生体１の一部を圧迫する圧力を算出し、算出したカフ１１及びカフ１２が生体１の一部を圧迫する圧力を示す信号を血圧演算部３４の圧力入力端子へ信号線４４を介して送信する機能を有する。
【００５８】
血圧演算部３４は脈波検出部３３から受信する生体１の一部の脈波を示す信号と、算出部３５から受信するカフ１１及びカフ１２が生体１の一部を圧迫する圧力から、図１により説明した血圧計１０と同様に血圧を演算して、表示する機能を有する。
【００５９】
上記のように、第５の実施の形態の血圧計１０は、予め測定したカフ１２の内圧と生体１の一部を圧迫する圧力との関係を用いて、測定したカフ１２の内圧から生体１の一部を圧迫する圧力を算出する算出部３５を備えることにより、正確に血圧を測定することができる。
【００６０】
（第６の実施の形態）
予め測定した内圧と前記生体の一部を圧迫する圧力との関係を用いて、測定した内圧から前記生体の一部を圧迫する圧力を算出してもよい。
【００６１】
本発明の第６の実施の形態の血圧測定方法は、第２の実施の形態の血圧測定方法、又は第４の実施の形態の血圧測定方法において、予め測定した内圧と前記生体の一部を圧迫する圧力との関係を用いて、測定した内圧から前記生体の一部を圧迫する圧力を算出する場合である。
【００６２】
第６の実施の形態の血圧測定方法は、第２の実施の形態の血圧測定方法又は第４の実施の形態の血圧測定方法において、前記カフの内圧から第１の実施の形態の血圧計１０の圧力検出部３２及び血圧演算部３４と同様な方法で、前記カフが前記生体の一部を圧迫する圧力を演算して求める代わりに、第５の実施の形態の血圧計１０の圧力検出部３２及び算出部３５と同様の方法で、予め測定した前記内圧と前記生体の一部を圧迫する圧力との関係を用いて、測定した前記内圧から前記生体の一部を圧迫する圧力を算出し、上記以外は第２の実施の形態の血圧測定方法又は第４の実施の形態の血圧測定方法と同様である。
【００６３】
上記のように、第６の実施の形態の血圧測定方法は、予め測定した前記カフの前記内圧と前記生体の一部を圧迫する圧力との関係を用いて、測定した前記カフの内圧から前記生体の一部を圧迫する圧力を算出することにより、正確に血圧を測定することができる。
【００６４】
（第７の実施の形態）
前記生体の一部と前記カフとの接触面に前記生体の一部を圧迫する圧力を検出する圧力センサをさらに備えてもよい。
【００６５】
本発明の第７の実施の形態の血圧計は、第１の実施の形態の血圧計１０又は第３の実施の形態の血圧計１０に前記圧力センサをさらに備える場合である。
【００６６】
図４に、本発明の第７の実施の形態の血圧計の構成を示す。図４において、第７の実施の形態の血圧計１０は図１に示す第１の実施の形態の血圧計１０の圧力検出部３２、空気パイプ１７及び信号線４１に代えて、圧力センサ３６及び信号線４５を備え、圧力センサ３６はカフ１２と生体１の一部の間に設け、信号線４５により圧力センサ３６の出力端子と血圧演算部３４の圧力信号入力端子を接続した構成であり、第７の実施の形態の血圧計１０の上記以外の部分は図１に示す第１の実施の形態の血圧計１０と同様であるので、ここでは、圧力センサ３６の機能のみを説明する。
【００６７】
図４において、第７の実施の形態の血圧計１０の圧力センサ３６は、生体１の一部とカフ１２との接触面に備え、カフ１２が生体１の一部を圧迫する圧力を検出し、検出したカフ１２が生体１の一部を圧迫する圧力を示す信号を信号線４５を介して、血圧演算部３４へ送信する機能を有する。ここで、圧力センサ３６は、例えば歪ゲージあるいは圧力検出用のカフと圧力計などにより構成してもよい。
【００６８】
上記のように、第７の実施の形態の血圧計１０は、生体１の一部とカフ１２との接触面に生体１の一部を圧迫する圧力を検出する圧力センサ３６を備えることにより、カフ１２が生体１の一部を圧迫する圧力を正確に検出することができるので、正確に血圧を測定することができる。
【００６９】
（第８の実施の形態）
前記生体の一部と前記カフとの接触面で前記生体の一部を圧迫する圧力を検出してもよい。
【００７０】
第８の実施の形態の血圧測定方法は、第２の実施の形態の血圧測定方法、又は第４の血圧測定方法において、前記生体の一部と前記カフとの接触面で前記生体の一部を圧迫する圧力を検出する場合である。
【００７１】
第８の実施の形態の血圧測定方法は、第２の実施の形態の血圧測定方法において第１の実施の形態の血圧計１０の圧力検出部３２及び血圧演算部３４によりカフ１２により生体１の一部を圧迫する圧力を演算して求める代わりに、又は第４の実施の形態の血圧測定方法において第３の実施の形態の血圧計１０の圧力検出部３２及び第５の実施の形態の算出部３５によりカフ１２が生体１の一部を圧迫する圧力を算出して求める代わりに、第７の実施の形態の血圧計１０の圧力センサ３６と同様な方法で、前記生体の一部と前記カフとの接触面で前記生体の一部を圧迫する圧力を検出し、上記以外は、第２の実施の形態の血圧測定方法又は第４の実施の形態の血圧測定方法と同様である。
【００７２】
上記のように、第８の実施の形態の血圧測定方法は、前記生体の一部と前記カフとの接触面で前記生体の一部を圧迫する圧力を検出することにより、前記生体の一部を圧迫する圧力を正確に検出できるので、正確に血圧を測定することができる。
【産業上の利用可能性】
【００７３】
本発明の血圧計は頭部だけでなく、抹消部で測定する血圧計や血圧測定方法として利用することができる。
【図面の簡単な説明】
【００７４】
【図１】本発明の実施の形態の血圧計の構成を示す図である。
【図２】上腕部用カフと頭部用カフにおけるカフ内圧と生体圧迫圧の関係を示す図である。
【図３】本発明の実施の形態の血圧計の構成を示す図である。
【図４】本発明の実施の形態の血圧計の構成を示す図である。
【符号の説明】
【００７５】
１  生体
１０  血圧計
１１  カフ
１２  カフ
１５  空気パイプ
１６  空気パイプ
１７  空気パイプ
２１  フレーム
２２  支持体
３１  空気供給部
３２  圧力検出部
３３  脈波検出部
３４  血圧演算部
３５  算出部
３６  圧力センサ
４１  信号線
４２  信号線
４３  信号線
４４  信号線
４５  信号線
５１  上腕用カフ
５２  上腕部の血圧測定範囲
６１  頭部用カフ
６２  頭部の血圧測定範囲
【図１】
2006280790.tif 000003
【図２】
2006280790.tif 000004
【図３】
2006280790.tif 000005
【図４】
2006280790.tif 000006